(57)【要約】      （修正有）【課題】巻取ユニットの動作モードを遠方から判別することが可能な糸巻取機を提供する。【解決手段】糸巻取機は、巻取ユニットの動作モードを運転モードと、停止モードと、規制モードとに切替る動作スイッチ４２を備える。操作スイッチ４２は巻取ユニットの動作モードが切替えられるのに対応して、操作部６２が操作パネルから突出する高さを第１の位置と、第2の位置と、第３の位置とに切替え可能に構成されていることを特徴とする。【選択図】図１
2011020764.tif 000002
【特許請求の範囲】
【請求項１】
巻取ユニットの動作モードを運転モードと停止モードと規制モードとに切替える動作スイッチと、前記動作スイッチを配置する操作パネルと、を備える糸巻取機であって、
前記動作スイッチは停止モードと規制モードとで前記操作パネルから突出する高さを切替え可能に構成されていることを特徴とする糸巻取機。
【請求項２】
請求項１に記載の糸巻取機であって、
前記動作スイッチは、
前記巻取ユニットの動作モードを切替えるときに操作される操作部と、
前記操作部を、前記巻取ユニットの動作モードを停止モードとする第１の位置と、前記巻取ユニットの動作モードを規制モードとする第２の位置と、に案内する案内部と、を更に備え、
前記操作部は、前記第１の位置にあるときよりも前記第２の位置にあるときに、前記操作パネルからより高く突出するように構成されていることを特徴とする糸巻取機。
【請求項３】
請求項２に記載の糸巻取機であって、
前記操作部が前記第２の位置にある場合に、前記巻取ユニットが運転モードへの切替えが規制されていることを表示する表示部を備えていることを特徴とする糸巻取機。
【請求項４】
請求項３に記載の糸巻取機であって、
前記表示部は、前記操作部が前記第１の位置にある場合には前記操作パネルに収納されており、前記操作部が前記第２の位置にある場合には前記表示部が前記操作パネルから露出するように構成されていることを特徴とする糸巻取機。
【請求項５】
請求項２から４に記載の糸巻取機であって、
前記操作部が前記第２の位置にある場合に、前記操作部が案内されることを規制することが出来る規制部を更に備えたことを特徴とする糸巻取機。
【請求項６】
請求項５に記載の糸巻取機であって、
前記規制部は、前記操作部に対して回転可能に設けられており、前記操作部が案内されることを規制する規制位置と、前記操作部が案内されることを規制しない自由位置とに移動可能であることを特徴とする糸巻取機。
【請求項７】
請求項２から６に記載の糸巻取機であって、
前記案内部は、前記巻取ユニットを運転モードにする第３の位置へと前記操作部を案内可能であり、
前記操作部は、前記第３の位置から前記第１の位置へと案内されるときには押圧され、前記第１の位置から前記第２の位置へと案内されるときには引き出されることを特徴とする糸巻取機。
【請求項８】
請求項２から７に記載の糸巻取機であって、
前記操作部は、前記操作パネルの表面に対して垂直方向に設けられた操作部側面を有し、
前記操作部側面にはくぼみが設けられていることを特徴とする糸巻取機。
【請求項９】
請求項８に記載の糸巻取機であって、
前記操作部は円筒形状に形成されており、
前記操作部側面に設けられた前記くぼみは、前記操作パネルの表面に対して平行方向に全周にわたって形成されていることを特徴とする糸巻取機。
【請求項１０】
請求項８又は９に記載の糸巻取機であって、
前記操作パネルは、前記操作部が取り付けられる取付部を備えており、
前記取付部は、
前記操作パネルの表面に対して窪んだ面である取付面と、
前記取付面と前記操作パネルの表面とを接続する壁面と、を有しており、
前記操作パネルと前記壁面との接続部が、前記操作部側面から所定の距離を隔てて設けられていることを特徴とする糸巻取機。
【請求項１１】
請求項８から１０に記載の糸巻取機であって、
前記操作部が前記第１の位置にある場合に、前記くぼみが前記操作パネルから露出するように構成されていることを特徴とする糸巻取機。
【請求項１２】
請求項１から１１のいずれかに記載の糸巻取機を複数備えたことを特徴とする繊維機械。
【発明の詳細な説明】
【技術分野】
【０００１】
本発明は、巻取ユニットの動作モードを運転モードと停止モードと規制モードとに切替える操作部を備えた糸巻取機及びそれを備える繊維機械に関する。なお、巻取ユニットの動作状態が運転状態である場合を運転モード、巻取ユニットの動作状態が停止状態である場合を停止モード、巻取ユニットの動作状態が停止状態であって且つ停止状態から運転状態への切替えが規制される必要がある場合を規制モードとする。
【背景技術】
【０００２】
通常、給糸ボビンから解舒された糸を巻き返してパッケージとする糸巻取機は、多数の巻取ユニットを並列して配置する。並列して配置された巻取ユニット列の一端には、機台制御装置が配置される。機台制御装置は、全巻取ユニットの動作モードを一括して運転モードか停止モードに切替える。
【０００３】
しかし、ある特定の巻取ユニットに保全処置を施す必要があるときには、機台制御装置での一括した動作モードの切替えではなく、特定の巻取ユニットを個別に停止モードにすることがある。特許文献１に開示されている自動ワインダは、各巻取ユニットに備えられた回転式のスタートスイッチによって、各巻取ユニットの動作モードを運転モードと停止モードとに個別に切替えることが可能に構成されている。
【０００４】
巻取ユニットが個別に停止モードとされている場合として、保全処置の為にオペレータが停止させる場合が挙げられる。この場合に該巻取ユニットを運転モードに復帰させる為には、オペレータが保全処置を完了する必要がある。しかし、保全処置が未完了であっても、オペレータは、該巻取ユニットの前を離れることがある。このオペレータが該巻取ユニットから離れている間に、別のオペレータが該巻取ユニットに対する保全処置が未完了であるということを認識出来ずに該巻取ユニットの動作モードを運転モードに切替えてしまうことがある。この場合、巻取ユニットは保全処置が未完了のまま運転が再開されてしまう。
【０００５】
以上の問題に対して、特許文献２は、巻取ユニットの前面部に回転可能なボタンを設け、その周面に色分けされた表示部を設けた構成のワインダを開示する。該表示部は、その上面に表示する色によって巻取ユニットの停止理由を表示するように構成されている。巻取ユニットを停止させたオペレータとは別のオペレータであっても、巻取ユニットの前面部から突出したボタンの上面に何色が表示されているかを確認することによって、巻取ユニットの停止理由を認識することが出来る。また、特許文献２では、オペレータが巻取ユニットを停止状態のままにしておきたいときは、ボタンを回転させることによりボタン操作を規制出来るようになっている。
【先行技術文献】
【特許文献】
【０００６】
【特許文献１】特開２００３−１１２８５４号公報
【特許文献２】実開平４−４２１６２号公報
【発明の概要】
【発明が解決しようとする課題】
【０００７】
特許文献２において、オペレータは、巻取ユニットを停止モードに維持したい場合にボタンの操作を規制する。しかし、該ボタンは、遠方からはボタンの操作が規制されていることが分からない構成である。その為、別のオペレータは、該巻取ユニットの前まで移動し、表示部の上面に表示されている色を確認することで初めて巻取ユニットのボタンが規制状態であることを認識する。即ち、別のオペレータは、遠方からは該巻取ユニットには何ら処置をする必要がないということを認識することが出来ない。その結果、別のオペレータの移動を伴う確認動作は無駄になる。この点において、特許文献２に開示の巻取ユニットには作業効率に改善の余地があった。
【０００８】
本発明は、以上の事情に鑑みてされたものであり、その目的は、遠方から巻取ユニットの動作モードを確認することが可能な糸巻取機を提供することにある。
【課題を解決するための手段】
【０００９】
本発明の解決しようとする課題は、以上の如くであり、次にこの課題を解決する為の手段とその効果を説明する。
【００１０】
本発明の第１の観点によれば、以下の構成の糸巻取機が提供される。即ち、この糸巻取機は、巻取ユニットの動作モードを運転モードと停止モードと規制モードとに切替える動作スイッチと、前記動作スイッチを配置する操作パネルと、を備える。前記動作スイッチは、停止モードと規制モードとで前記操作パネルから突出する高さを切替え可能に構成されている。
【００１１】
これにより、巻取ユニットの運転が停止状態であって運転状態への切替えが規制されていない停止モードにあるのか、巻取ユニットの運転が停止状態であって且つ運転状態への切替えが規制される必要がある規制モードにあるのかを、オペレータは、動作スイッチが操作パネルから突出する高さを確認することで判別することが出来る。したがって、オペレータは、巻取ユニットが規制モードにあり該巻取ユニットに対しては何ら処置が必要でないということを遠方から確認することが出来る。その為、オペレータの不要な移動を防ぐことができ、作業効率を向上することが出来る。
【００１２】
前記糸巻取機においては、以下の構成とすることが好ましい。即ち、前記動作スイッチは、操作部と案内部を備える。前記操作部は、前記巻取ユニットの動作モードを切替えるときに操作される。前記案内部は、前記操作部を、前記巻取ユニットの運転モードを停止モードとする第１の位置と、前記巻取ユニットの運転モードを規制モードとする第２の位置と、に案内する。前記操作部は、前記第１の位置にあるときよりも前記第２の位置にあるときに、前記操作パネルからより高く突出するように構成されている。
【００１３】
これにより、巻取ユニットの動作モードが規制モードにある場合に、操作部が操作パネルからより高く突出する為、オペレータは、巻取ユニットの動作モードが規制モードにあることを更に明確に確認することが出来る。
【００１４】
前記糸巻取機においては、以下の構成とすることが好ましい。即ち、前記糸巻取機は、前記操作部が前記第２の位置にある場合に、前記巻取ユニットが運転モードへの切替えを規制されているということを表示する表示部を備える。
【００１５】
これにより、オペレータは、表示部を確認することによっても前記巻取ユニットの動作モードが規制モードにあることを確認することが出来る。したがって、オペレータは、巻取ユニットの規制モードを更に明確に確認することが出来る。
【００１６】
前記糸巻取機においては、以下の構成とすることが好ましい。即ち、前記表示部は、前記操作部が前記第１の位置にある場合には前記操作パネルに収納されており、前記操作部が前記第２の位置にある場合には前記操作パネルから露出するように構成されている。
【００１７】
これにより、オペレータは、表示部が操作パネルから露出しているか否かを確認することによって、巻取ユニットが規制モードにあるか否かを確認することが出来る。したがって、オペレータは、巻取ユニットが規制モードにあることを更に明確に確認することが出来る。
【００１８】
前記糸巻取機においては、以下の構成とすることが好ましい。即ち、前記糸巻取機は、前記操作部が前記第２の位置にある場合に、前記操作部が案内されることを規制可能である規制部を備える。
【００１９】
これにより、オペレータは、巻取ユニットの動作モードを停止モードのまま維持したい場合に他のオペレータによって巻取ユニットの動作モードが切替えられてしまうことを防ぐことが出来る。
【００２０】
前記糸巻取機においては、以下の構成とすることが好ましい。即ち、前記規制部は、前記操作部に対して回転可能に設けられている。更に、前記規制部は、前記操作部の移動を規制する規制位置と、前記操作部の移動を規制しない自由位置とに移動可能に設けられている。
【００２１】
これにより、オペレータは、規制部を回転するという簡単な操作によって、他のオペレータによる巻取ユニットの動作モードの切替えを防ぐことが出来る。
【００２２】
前記糸巻取機においては、以下の構成とすることが好ましい。即ち、前記案内部は、前記操作部を、前記巻取ユニットを運転モードにする第3の位置へと移動可能に構成されている。前記操作部は、前記第３の位置から前記第１の位置に移動する場合には押圧され、前記第１の位置から前記第２の位置へと移動する場合には引き出されるように構成されていることが好ましい。
【００２３】
これにより、オペレータは、巻取ユニットの動作モードの切替え操作のうち、運転モードから停止モードへの切替え操作と、停止モードから規制モードへの切替え操作を明確に区別した上で操作部を操作することが出来る。その結果、オペレータの誤動作を防ぐことができ、作業効率を更に向上することが出来る。
【００２４】
前記糸巻取機においては、以下の構成とすることが好ましい。即ち、前記操作部は、前記操作パネルの表面に対して垂直方向に設けられた操作部側面を有する。そして、前記操作部側面にはくぼみが設けられている。
【００２５】
これにより、オペレータは、巻取ユニットの動作モードを切替える時に、操作部側面のくぼみに指を掛けて操作部を引き出すことが出来る。つまり、オペレータは、容易に操作部を引き出すことが出来る為、より円滑に巻取ユニットの動作モードの切替え操作を行なうことが出来る。
【００２６】
前記糸巻取機においては、以下の構成とすることが好ましい。即ち、前記操作部は、円筒形状に形成されている。そして、前記操作部側面に設けられた前記くぼみが、前記操作パネルの表面に対して平行方向且つ前記操作部側面の全周にわたって形成されている。
【００２７】
これにより、オペレータは、くぼみに指を掛けやすくなる為、更に円滑に操作部を引き出すことが出来る。
【００２８】
前記糸巻取機においては、以下の構成とすることが好ましい。即ち、前記操作パネルは、前記操作部が取り付けられる取付部を更に備える。前記取付部は、前記操作パネルの表面に対して窪んだ面である取付面と、前記取付面と前記操作パネルの表面とを接続する壁面と、を有している。そして、前記操作パネルと前記壁面との接続部が、前記操作部側面から所定の距離を隔てて設けられている。
【００２９】
これにより、動作スイッチの、前記第１の位置と、前記第２の位置と、前記第３の位置の差異が、より強調される。つまり、オペレータは、巻取ユニットが運転モードと停止モードと規制モードのいずれの動作モードにあるのかを更に明確に判別することが出来る。また、操作部側面と壁面との間に一定の距離が設けられている為、くぼみが操作パネルの表面よりも後方に位置する場合でも、オペレータは操作部を容易に引出すことが出来る。
【００３０】
前記糸巻取機においては、前記操作部が前記第１の位置にある場合に、前記くぼみが前記操作パネルから露出するように構成されていることが好ましい。
【００３１】
これにより、オペレータは、巻取ユニットの動作モードをより円滑に停止モードから規制モードへと切替えることが出来る。
【００３２】
本発明の第２の観点によれば、前記の糸巻取機を複数備えた繊維機械が提供される。
【００３３】
これにより、オペレータは、各糸巻取機の巻取ユニットの動作モードを繊維機械の長手方向から確認することが出来る。
【図面の簡単な説明】
【００３４】
【図１】本発明に係る動作スイッチの側面断面図であって、（ａ）は巻取ユニットが運転モードにある場合の動作スイッチの側面断面図、（ｂ）は巻取ユニットが停止モードにある場合の動作スイッチの側面断面図、（ｃ）は巻取ユニットが規制モードにある場合の動作スイッチの側面断面図。
【図２】本発明に係る繊維機械（自動ワインダ）の正面図。
【図３】本発明に係る糸巻取機の正面図。
【図４】本発明に係る動作スイッチに備えられる操作部の側面図。
【発明を実施するための形態】
【００３５】
次に発明の好適な実施形態について図面を参照しながら説明する。
【００３６】
図２に示すように、本実施形態に係る自動ワインダ１（繊維機械）は、並設された複数の糸巻取機２と、これらの糸巻取機２の並設方向の端部に配置された機台制御装置４と、自動玉揚げ装置１２を備えている。機台制御装置４は、自動ワインダ１の動作を総括的に制御し、管理している。なお、自動玉揚げ装置１２の動作については後述する。
【００３７】
図２及び図３に示す糸巻取機２は、給糸ボビンＢから解舒される糸Ｙを綾振りながら巻取ボビンＢｆに巻き付けて、所定長で所定形状のパッケージＰを形成するものである。各糸巻取機２は、パッケージＰの巻取処理を行う巻取ユニット８と、巻取ユニット８を支持するユニットフレーム６とを備える。
【００３８】
巻取ユニット８は、給糸部１０３と巻取部１０２との間の糸走行経路中に、給糸部１０３側から順に、解舒補助装置１８と、テンション付与装置２０と、糸継装置２２と、糸欠点検出装置２４と、を配置した構成となっている。なお、下記においては、糸巻取機２の上方を巻取部１０２側とし、下方を給糸部１０３側とする。
【００３９】
給糸部１０３は、給糸ボビンＢより糸Ｙを解舒して巻取部１０２へと供給する。また、給糸部１０３は、給糸ボビン供給装置（図略）と給糸ボビン排出装置（図略）を備えている。給糸ボビン供給装置は、給糸部１０３の解舒位置に、給糸ボビンＢを装着したトレー１０を供給する。給糸ボビン排出装置は、パッケージＰを形成する過程で、給糸ボビンＢの糸の巻取が完了して空ボビンになった場合や、給糸ボビンＢに解舒不良が生じて不良ボビンとなった場合には、給糸ボビンＢを装着したトレー１０を解舒位置から排出する。
【００４０】
パッケージＰを形成する過程において、解舒位置にある給糸ボビンＢが上記のように空ボビンや不良ボビンとなった場合には、新しい給糸ボビンへと交換される給糸ボビン交換処理が行われる。つまり、解舒位置にある給糸ボビンは上記給糸ボビン排出装置によって排出され、新しい給糸ボビンが上記給糸ボビン供給装置によって解舒位置に供給される。
【００４１】
巻取部１０２は、巻取ボビンＢｆを把持するクレードル１４と、糸Ｙを綾振る綾振りドラム１６と、を備えている。クレードル１４は、綾振りドラム１６に対して近接又は離反する方向に揺動可能に構成されている。これによって、巻取ボビンＢｆに巻き形成されるパッケージＰは、綾振りドラム１６に対して接触又は離反することが出来るようになっている。綾振りドラム１６には、その表面に糸Ｙを巻取ボビンＢｆに綾振る為の螺旋形状の綾振り溝１６ａが形成されている。
【００４２】
パッケージＰが所定長で所定形状に巻取り形成されると、図２に示す自動玉揚げ装置１２による玉揚げ処理が行われる。糸巻取機２は、糸Ｙが所定の長さ近くまでパッケージＰとして巻き取られると、自動玉揚げ装置１２に対して玉揚げ要求信号を発信する。自動玉揚げ装置１２は、上記玉揚げ要求信号に基づいて該糸巻取機２へと移動し、その糸巻取機２で形成されたパッケージＰを回収する。また、自動玉揚げ装置１２は、玉揚げ処理だけでなく、空の巻取ボビンの装着作業や所定の糸掛け作業も実行可能に構成されている。
【００４３】
解舒補助装置１８は、給糸ボビンＢの芯管に被さる円筒部材を給糸ボビンＢからの糸の解舒と連動して下降させることにより、給糸ボビンＢからの糸の解舒を補助するものである。円筒部材は、給糸ボビンＢから解舒された糸の回転と遠心力によって給糸ボビンＢ上部に形成されたバルーンに接触し、該バルーンを適切な大きさに制御することによって糸の解舒を補助する。円筒部材の近傍には、前記給糸ボビンＢのチェース部を検出する為のセンサ（図略）が備えられており、このセンサがチェース部の下降を検出すると、それに追従して円筒部材を例えばエアシリンダ（図略）によって下降させることが出来る。
【００４４】
テンション付与装置２０は、走行する糸Ｙに適当な巻取り張力（テンション）を付与するものである。糸Ｙのテンション値が適当でないと、糸切れが多くなったり巻取パッケージの巻取形状が不良になったりする。この糸切れ等を防ぎ、糸Ｙのテンション値を適正に保つ為に、テンション付与装置２０は、糸Ｙのテンション値に応じて糸Ｙに付与するテンションを変更する。このようなテンション付与装置２０としては、例えば、固定の櫛歯に対して可動の櫛歯を配置するゲート式のものを用いることが出来る。可動する櫛歯は、固定櫛歯に対して噛み合せ状態又は解放状態になるように回動可能に設置されている。なお、テンション付与装置２０としては、前記ゲート式のもの以外にも、例えばディスク式のものを採用することが出来る。
【００４５】
糸継装置２２は、糸欠点検出装置２４が糸欠点を検出して糸切断を行う時や解舒中に糸切れが発生した時等に、給糸ボビンＢ側の下糸とパッケージＰ側の上糸とを糸継ぎするものである。このような糸継装置２２としては、圧縮空気等の流体を用いるものや、機械式のものを用いることが出来る。
【００４６】
糸欠点検出装置２４は、糸Ｙの太さに応じた信号をアナライザ（図略）で処理することによって、糸Ｙの太さ欠陥を検出するものである。この糸欠点検出装置２４には、糸欠点を検出した時に糸を切断する為のカッタ（図略）が付設されている。また、糸欠点検出装置２４は、単に糸Ｙの有無を検知するセンサとしても機能させることが出来る。
【００４７】
糸継装置２２の下方には、給糸ボビンＢ側の下糸を捕捉して糸継装置２２へと案内する下糸捕捉案内パイプ２８が設けられている。また、糸継装置２２の上方には、パッケージＰ側の上糸を捕捉して糸継装置２２へと案内する上糸捕捉案内パイプ３０が設けられている。下糸捕捉案内パイプ２８の先端には吸引口２８ａが形成されており、上糸捕捉案内パイプ３０の先端には吸引口３０ａが形成されている。
【００４８】
糸切断や糸切れ時には、下糸捕捉案内パイプ２８の吸引口２８ａが図示の位置で下糸を捕捉し、軸２８Ｂを中心にして下から上へと旋回する。同時に、上糸捕捉案内パイプ３０が図示の位置から軸３０Ｂを中心にして下から上へと旋回し、パッケージＰの表面上に存在する上糸を吸引口３０ａによって捕捉する。続いて、上糸補足案内パイプ３０が軸３０Ｂを中心として上から下へと旋回する。前記動作によって、上糸と下糸は糸継装置２２へと案内されて、糸継装置２２により糸継される。
【００４９】
巻取ユニット８を構成する各部材は、ユニットフレーム６により支持されている。ユニットフレーム６の内部には、糸巻取機２の各部材を制御する為のユニット制御部（図略）が設けられている。ユニットフレーム６の前面には、ユニット制御部に対して信号を入力可能に接続された操作パネル３６が設けられている。操作パネル３６には、ユニットインジケータ３８と、エラー表示部４０と、動作スイッチ４２とが設けられている。なお、下記においては、操作パネル３６が取付けられている側を糸巻取機２の前方とする。
【００５０】
ユニットインジケータ３８は、上位桁表示器６１と中位桁表示器４１と下位桁表示器６３とを備えている。これらの表示器６１と４１と６３は、７セグメントＬＥＤ（Ｌｉｇｈｔ  Ｅｍｉｔｔｉｎｇ  Ｄｉｏｄｅ）から構成されている。ユニットインジケータ３８は、巻取ユニット８の動作状態に応じて数字やアルファベット等を表示可能である。ユニットインジケータ３８には、例えば糸Ｙの巻取速度や、綾振りドラム１６の回転速度等が表示される。
【００５１】
エラー部位表示部４０は、ユニットインジケータ３８の下方に設けられており、巻取ユニット８のエラー部位を表示する。このエラー部位表示部４０は、上部材３５と中部材３７と下部材３９とを備えている。上部材３５は、巻取部１０２にエラーが発生した場合に、発光する。下部材３９は、給糸部１０３にエラーが発生した場合に、発光する。前記中部材３７は、巻取部１０２と給糸部１０３以外の部位（例えば、糸継装置２２）でエラーが発生した場合に、発光する。なお、エラー部位表示部４０は、発光中の部材をオペレータが押圧することでエラーが解除されるエラー解除ボタンとして作動するように構成されていても良い。また、上部材３５は、糸巻取機２の上方を指示するように上方に向かって先細る形状に形成されている。下部材３９は、糸巻取機２の下方を指示するように下方に向かって先細る形状に形成されている。
【００５２】
上部材３５の近傍には、パッケージＰの絵柄７７が描かれている。下部材３９の近傍には、給糸ボビンＢの絵柄７８が描かれている。
【００５３】
動作スイッチ４２は、エラー部位表示部４０の下方に設けられており、巻取ユニット８の動作モードを切替える際に操作される。オペレータが動作スイッチ４２を操作することにより、巻取ユニット８の動作モードが運転モードと停止モードと規制モードとに切替えられる。図１に示すように、操作部６２（操作部）が操作パネル３６から突出する高さは、巻取ユニット８の動作モードの切替えに対応して変更するようになっている。
【００５４】
巻取ユニット８の動作モードが運転モードにある場合には、巻取ユニット８を構成している各部材は動作している。運転モードには、巻取ユニット８が通常の巻取処理を行っている状態だけでなく、巻取ユニット８が玉揚げ処理や給糸ボビンＢの交換処理を行なっている状態等も含まれる。また、運転モードには、巻取ユニット８の各機能の動作テストを実行する際に、巻取ユニット８の一部のみを作動させている状態も含まれる。巻取ユニット８の各機能の動作テストとは、例えば、糸継装置２２の動作テストが挙げられる。
【００５５】
巻取ユニット８が停止モードにある場合には、巻取ユニット８を構成する各部材は動作を停止している。停止モードにおいては、動作スイッチ４２が運転モードへと切替え操作されることがない限り、巻取ユニット８を構成する各部材が動作することはない。
【００５６】
巻取ユニット８が規制モードにある場合には、巻取ユニット８を構成する各部材は動作を停止しており、且つ、動作スイッチ４２の切替え操作が規制可能な状態にある。巻取ユニット８が停止モードにある場合でも、動作スイッチ４２が運転モードへと切替え操作をされた場合には、巻取ユニット８を構成する各部材は動作する。規制モードは、上記のように巻取ユニット８の動作モードを停止モードに維持したい場合に、停止モードから運転モードへの切替え操作がされてしまうことを防止する為に使用される。つまり、巻取ユニット８を停止モードとしたオペレータが停止モードを維持したい場合であって、該糸巻取機２の前を離れている間に他のオペレータによる動作スイッチ４２の切替え操作を防ぎたい場合等に使用される。
【００５７】
次に、図１を参照して、糸巻取機２における巻取ユニット８の動作モードの切替え方法について説明する。
【００５８】
図１（ａ）は、糸巻取機２の動作スイッチ４２が第３の位置（巻取ユニット８の動作モードが運転モード）にある場合の動作スイッチ４２の側面断面図である。図１（ｂ）は、糸巻取機２の動作スイッチ４２が第１の位置（巻取ユニット８の動作モードが停止モード）にある場合の動作スイッチ４２の側断面面図である。図１（ｃ）は、糸巻取機２の動作スイッチ４２が第２の位置（巻取ユニット８の動作モードが規制モード）にある場合の動作スイッチ４２の側断面面図である。
【００５９】
動作スイッチ４２は、操作パネル３６に形成された凹部９０（取付部）の底面である取付面７３に設けられた孔８０にはめ込まれた支持部材６４に収納されている。なお、凹部９０の壁面９９は接続部７４により操作パネル３６に接続されている。動作スイッチ４２は、円筒形状の操作部６２と、案内部５３と、コイルばね５４と、を備えている。また、動作スイッチ４２は、操作部６２の周面部５２（表示部及び／又は、規制部及び／又は、操作部側面）と接続部７４との間に一定の距離が設けられるように配置されている。
【００６０】
図１と図４に示すように、操作部６２は、糸巻取機２の前方から後方に向かって順番に、円筒形状のキートップ部５０と、キートップ部５０に対して回転可能に設けられた円筒形状の周面部５２と、を配置した構成となっている。また、周面部５２は、他の部材に比べて目立つ色合いに彩色されている。例えば、周面部５２は黄色に彩色されており、他の部材は灰色に彩色されている。
【００６１】
キートップ部５０には、円形面である押圧面９２と、周方向に設けられたくぼみである指掛け部５１（操作部側面に設けられたくぼみ）と、が形成されている。なお、下記においては説明の便宜上、キートップ部５０は指掛け部５１を境に２分し、周面部５２側から順にキートップ部５０（ａ）とキートップ部５０（ｂ）とすることがある。
【００６２】
図１（ａ）に示すように、巻取ユニット８が運転モードにあり、動作スイッチ４２が第３の位置にある場合には、コイルばね５４は収縮状態にあり、操作部６２のうち、キートップ部５０（ｂ）のみが操作パネル３６から突出している。そして、操作部６２のうち、周面部５２とキートップ部５０（ａ）は、支持部材６４に収納されている。
【００６３】
また、巻取ユニット８が運転モードにある場合には、周面部５２に設けられた案内部５３の自由端が、動作スイッチ４２の近傍に設けられたスイッチユニット５６と接触状態となっている。案内部５３とスイッチユニット５６が接触状態にある場合には、巻取ユニット８は運転モードに設定されている。
【００６４】
図１（ａ）の状態で、オペレータが押圧面９２を押圧することによって、コイルばね５４は、収縮状態が解除され、図１（ｂ）に示すように伸張した状態となる。即ち、動作スイッチ４２は、第３の位置から第１の位置へと移動する。
【００６５】
図１（ｂ）に示すように、巻取ユニット８が停止モードにあり、動作スイッチ４２が第１の位置にある場合には、操作部６２のうち、キートップ部５０（ａ）とキートップ部５０（ｂ）が操作パネル３６から突出し、周面部５２は支持部材６４に収納されている。
【００６６】
また、巻取ユニット８が停止モードにある場合には、案内部５３とスイッチユニット５６との接触状態は、解除されている。案内部５３がスイッチユニット５６から離れることによって、巻取ユニット８は停止モードに切替えられる。
【００６７】
図１（ｂ）に示す状態で、オペレータが指掛け部５１に指を掛けてキートップ部５０を引き出すことによって、操作部６２は、第１の位置から図１（ｃ）に示す第２の位置へと移動する。操作部６２が引き出されることによって、操作部６２に固定されている案内部５３も支持部材６４内で前方へと移動する。これによって、巻取ユニットの動作モードは、規制モードに切替えられる。そして、オペレータが周面部５２を１８０度回転させることにより、案内部５３は、支持部材６４内で１８０度回転し、接触部材規制位置６７へと移動する。この接触部材規制位置６７においては、案内部５３の後方への動きが規制されることとなり、動作スイッチ４２によって巻取ユニット８の動作モードを停止モードから運転モードへと切替える操作が規制される。
【００６８】
巻取ユニット８が規制モードにあり、動作スイッチ４２が第２の位置にある場合には、図１（ｃ）示すように、周面部５２が操作パネル３６から露出した状態となる。これにより、該動作スイッチ４２が設けられている糸巻取機２の遠方にいる他のオペレータも、該糸巻取機２の巻取ユニット８が規制モードであることを視認することが出来る。
【００６９】
以上のように、本実施形態の自動ワインダ１は、巻取ユニット８の動作モードを運転モードと停止モードと規制モードとに切替える動作スイッチ４２と、動作スイッチ４２を配置する操作パネル３６と、を備えている。動作スイッチ４２は、停止モードと規制モードとで操作パネル３６から突出する高さを切替え可能に構成されている。
【００７０】
この構成により、巻取ユニット８が停止状態であって運転状態への切替えが規制されていない停止モードにあるのか、巻取ユニット８が停止状態であって且つ運転状態への切替えが規制される必要がある規制モードにあるのかを、オペレータは、動作スイッチ４２が操作パネル３６から突出する高さを確認することで判別出来る。したがって、オペレータは、巻取ユニット８が規制モードにあり該糸巻取機２に対しては何ら処置が必要でないということを遠方から確認することが出来る。その為、オペレータの不要な移動を防ぐことができ、作業効率を向上することが出来る。
【００７１】
また、本実施形態の動作スイッチ４２は、操作部６２と接触部材５３を備える。操作部６２は、巻取ユニット８の動作モードを切替えるときに操作される。接触部材５３は、操作部６２を、巻取ユニット８の運転モードを停止モードとする第１の位置と、巻取ユニット８の運転モードを規制モードとする第２の位置と、に案内する。そして、操作部６２は、第１の位置にあるときよりも第２の位置にあるときに、操作パネル３６からより高く突出するように構成されている。
【００７２】
この構成により、巻取ユニット８の動作モードが規制モードにある場合に、操作部６２が操作パネル３６からより高く突出する為、オペレータは、巻取ユニット８の動作モードが規制モードにあることを更に明確に確認することが出来る。
【００７３】
また、本実施形態の動作スイッチ４２の操作部６２は、操作部６２が第２の位置にある場合に、糸巻取機２の巻取ユニット８が運転モードへの切替えが規制されていることを表示する周面部５２を備える。
【００７４】
この構成により、オペレータは、周面部５２を確認することによっても糸巻取機２の巻取ユニット８の動作モードが規制モードにあることを確認することが出来る。したがって、オペレータは、糸巻取機２の巻取ユニット８が規制モードにあることを更に明確に確認することが出来る。
【００７５】
また、本実施形態の糸巻取機２の動作スイッチ４２の周面部５２は、操作部６２が第１の位置にある場合には操作パネル３６に収納されており、操作部６２が第２の位置にある場合には操作パネル３６から露出するように構成されている。
【００７６】
この構成により、オペレータは、周面部５２が操作パネル３６から露出しているか否かを確認することによって、糸巻取機２の巻取ユニット８が規制モードにあるか否かを確認することが出来る。したがって、オペレータは、糸巻取機２の巻取ユニット８が規制モードにあることを更に明確に確認することが出来る。
【００７７】
また、本実施形態の糸巻取機２の動作スイッチ４２の周面部５２は、操作部６２が第２の位置にある場合に、操作部６２が第１の位置へと案内されることを規制可能に構成されている。
【００７８】
この構成により、オペレータは、巻取ユニット８の動作モードを停止モードのまま維持したい場合に他のオペレータによって巻取ユニット８の動作モードが切替えられてしまうことを防ぐことが出来る。
【００７９】
また、本実施形態の糸巻取機２の動作スイッチ４２の周面部５２は、キートップ部５０に対して回転可能に設けられている。更に、周面部５２は、操作部６２の移動を規制する規制位置と、操作部６２の移動を規制しない自由位置とに移動可能に設けられている。
【００８０】
この構成により、オペレータは、周面部５２を回転するという簡単な操作によって、他のオペレータによる巻取ユニット８の動作モードの切替えを防ぐことが出来る。
【００８１】
また、本実施形態の糸巻取機２の接触部材５３は、操作部６２を、糸巻取機２を運転モードにする第3の位置へと移動可能に構成されている。更に、操作部６２は、第３の位置から第１の位置に移動する場合には押圧され、第１の位置から第２の位置へと移動する場合には引き出されるように構成されている。
【００８２】
この構成により、オペレータは、糸巻取機２の動作モードの切替え操作のうち、運転モードから停止モードへの切替え操作と、停止モードから規制モードへの切替え操作を明確に区別した上で操作部６２を操作することが出来る。その結果、オペレータは誤動作を防ぐことができ、作業効率を更に向上することが出来る。
【００８３】
また、本実施形態の糸巻取機２の操作部６２は、操作パネル３６の表面に対して垂直方向に設けられた側面を有しており、操作部６２の側面には指掛け部５１が設けられている。
【００８４】
この構成により、オペレータは、巻取ユニット８の動作モードを切替える時に、指掛け部５１に指を掛けて操作部６２を引き出すことが出来る。つまり、オペレータは、容易に操作部６２を引き出すことが出来る為、より円滑に糸巻取機２の動作モードの切替え操作を行なうことが出来る。
【００８５】
また、本実施形態の糸巻取機２の操作部６２は、円筒形状に形成されている。そして、指掛け部５１が、操作パネル３６の表面に対して平行方向且つ操作部６２の側面の全周にわたって形成されている。
【００８６】
この構成により、オペレータは、指掛け部５１に指を掛けやすくなる為、更に円滑に操作部６２を引き出すことが出来る。
【００８７】
また、本実施形態の糸巻取機２の操作パネル３６は、操作部６２が取り付けられる凹部９０を備えている。凹部９０は、操作パネル３６の表面に対して窪んだ面である取付面７３と、取付面７３と操作パネル３６の表面とを接続する壁面９９と、を有している。そして、操作パネル３６と壁面９９との接続部７４が、周面部５２から所定の距離を隔てて設けられている。
【００８８】
この構成により、動作スイッチ４２の、第１の位置と、第２の位置と、第３の位置の差異が、より強調される。つまり、オペレータは、巻取ユニット８が運転モードと停止モードと規制モードのいずれの動作モードにあるのかを更に明確に判別することが出来る。また、周面部５２と接続部７４との間に一定の距離が設けられている為、指掛け部５１が操作パネル３６の表面よりも後方に位置する場合でも、オペレータは操作部６２を容易に引出すことが出来る。
【００８９】
また、本実施形態の糸巻取機２の動作スイッチ４２は、操作部６２が第１の位置にある場合に、指掛け部５１が操作パネル３６から露出するように構成されている。
【００９０】
この構成により、オペレータは、巻取ユニット８の動作モードをより円滑に停止モードから規制モードへと切替えることが出来る。
【００９１】
また、本実施形態の自動ワインダ１は、前記糸巻取機２を複数備えて構成されている。
【００９２】
この構成により、オペレータは、各糸巻取機２の巻取ユニット８の動作モードを自動ワインダ１の長手方向から確認することが出来る。
【００９３】
以上に本発明の好適な実施形態を説明したが、上記の構成は例えば以下のように変更することが出来る。
【００９４】
上記実施形態の動作スイッチ４２の周面部５２は、黄色に一色に彩色されているが、オペレータが遠方から周面部５２を視認出来る色や彩色パターンであれば、黄色以外の色や複数色に彩色されていても良い。
【００９５】
上記実施形態の動作スイッチ４２は、巻取ユニット８の動作モードが規制モードにある場合に案内部５３の後方への移動のみを規制するように構成されているが、前方への移動も規制する構成としても良い。
【００９６】
上記実施形態の自動ワインダ１は、綾振りドラム１６にて糸を綾振りながらパッケージＰを巻き取る構成であるが、綾振りドラム１６に代えて、公知のアーム式の綾振り装置やベルト式の綾振り装置により糸を綾振る構成にしても良い。
【００９７】
上記実施形態の自動ワインダ１は、トレー１０によって給糸ボビンを解舒位置へと供給する構成であるが、前記トレー式のもの以外にも、複数の給糸ボビンを保持するマガジンによって給糸ボビンを解舒位置へと供給するマガジン式のものを採用しても良い。
【００９８】
上記実施形態の上部材３５と中部材３７と下部材３９は、各々エラー発生時に発光するように構成されているが、エラー報知形態としては、これに限定されない。例えば、上部材３５と中部材３７と下部材３９は、各々エラー発生時に点灯することによりエラーを報知する構成にしても良い。
【００９９】
上記実施形態の上部材３５と下部材３９は、各々上方と下方を向かって先細る形状に構成されているが、上部材３５と下部材３９の形状は、オペレータが指向性を認識出来る形態であれば、これに限定されない。例えば、上部材３５と下部材３９に、矢印の絵柄を配置する等の方法によって指向性を持たせても良い。
【０１００】
上記実施形態の自動ワインダ１は、綾振りドラム１６をモータで駆動し、巻取ボビンＢｆ（パッケージＰ）を従動回転させる構成であるが、これに代えて、巻取ボビンＢｆ（パッケージＰ）を直接回転させる構成にしても良い。
【０１０１】
上記実施形態の動作スイッチ４２は、巻取ユニット８が規制モードのときに停止モードのときよりも、操作パネル３６から高く突出するように構成されているが、停止モードと規制モードとで操作パネル３６から突出する高さを切替え可能に構成されていればこれに限定されない。例えば、巻取ユニット８が停止モードのときの方が規制モードのときよりも操作パネル３６から高く突出する構成としても良い。
【符号の説明】
【０１０２】
１    自動ワインダ(繊維機械)
２    糸巻取機
８    巻取ユニット
３６  操作パネル
４２  動作スイッチ
５２  周面部（表示部及び／又は、規制部及び／又は、操作部側面）
５３  接触部材（案内部）
５０  キートップ部
５１  指掛け部（操作部側面に設けられたくぼみ）
５４  コイルばね
５６  スイッチユニット
６２  操作部
６４  支持部材
６７  接触部材規制位置
７３  取付面
７４  接続部
９０  凹部（取付部）
９２  押圧面
９９  壁面
【図１】
2011020764.tif 000003
【図２】
2011020764.tif 000004
【図３】
2011020764.tif 000005
【図４】
2011020764.tif 000006